(57)【特許請求の範囲】
【請求項１】
断面が扁平な可撓性綴じ足を長尺な係止板に屈曲係止する綴じ具において、係止板下面には溝の底の幅が綴じ足の最大な幅と略同一で、溝の深さが綴じ足厚みより深く、溝の相対する土手部先端が綴じ足の最大な幅より狭くなっている溝を係止板長手方向に綴じ足本数分有し、係止板下面の溝を綴じ足側に向け、係止板の溝入り口部に綴じ足屈曲部を当接した状態で、溝入り口部から綴じ足屈曲部を先頭にして係止板を綴じ足先端部に向けて綴じられる枚葉体の上を押し滑らせることで綴じ足を溝に挿入係止する事を特徴とする綴じ足係止板。
【請求項２】
溝入り口部は土手部を含め溝幅が綴じ足の最大な幅より広い誘い口になっている事を特徴とする請求項１記載の綴じ足係止板。
【請求項３】
両側端辺に切れ込みを有する断面が扁平な可撓性綴じ足と、請求項１又は請求項２記載の綴じ足係止板とから構成されることを特徴とする綴じ具。
【発明の詳細な説明】
【技術分野】
【０００１】
新規な綴じ用具に関する。詳しくは断面が扁平な可撓性綴じ足を屈曲して係止板に係止する綴じ用具に関する。主として紙製フラットファイルの綴じ用具として用いる。
【背景技術】
【０００２】
従来より、書類をファイルに綴じるには紙製ファイルに端部を固定された、断面が扁平な可撓性綴じ足に書類の綴じ穴を挿通し、書類の上に出現する綴じ足先端部を長尺なレール部材に挿通し、レール部材に嵌合したスライダー部材を摺動して、レール部材上に出現している綴じ足先端部を屈曲係止する綴じ用具をフラットファイルの多くが使用している。フラットファイルは、パイプ式ファイルなどと異なり綴じ具部に筐体を用いないため、書類の厚さ、綴じ枚数に応じて実質的綴じ足の長さを調節出来るため、ファイルの厚さは常に最低限の厚さ、即ちフラットに保て、かつ比較的安価に生産出来るというメリットを有している。このような綴じ用具及びファイルは公知である（特許文献１）。
【０００３】
しかし上記従来の綴じ用具は、断面が扁平な可撓性綴じ足と、書類の綴じ穴から出現している綴じ足を挿通、係止する係止具とからなり、係止具は挿通孔を有するレール部材と、レール部材に勘合したスライダー部材とから構成している。更にスライダー部材は綴じ足の本数分だけ必要とする方式もあり、綴じ用具としての部材点数が多く、生産工程でも、レール部材とスライダー部材との嵌合工程も必須であり、安価を目指すフラットファイルのコストネックになっていた。
【０００４】
更に、従来のフラットファイルでは、書類を綴じる時は、綴じ足を書類の綴じ穴に挿通し、綴じ穴から出現している綴じ足をレール部材に挿通し、出現する綴じ足先端を屈曲し、レール部材に嵌合しているスライダー部材を摺動させ、綴じ足屈曲部を係止するという大変面倒な動作が必須である。書類を抜く時は勿論この反対の作業を行うことになる。このように綴じ動作工程数も多く、更に書類を綴じ足に挿通後も、またスライダーを摺動させるため両手を使った動作が必須であるという問題点を有していた。
【特許文献１】特開平８−１７５０６９  図１２
【発明の開示】
【発明が解決しようとする課題】
【０００５】
本発明が解決しようとしている課題は、上記フラットファイルに於いて、従来の摺動するスライダー部材を必要とせず、従来のレール部材に相当する係止板のみと綴じ足を直接係止可能とし、綴じ用具に於ける部材点数の削減と、書類の綴じ作業そのものも簡便化する綴じ用具を提供しようとするものである。
【課題を解決するための手段】
【０００６】
第一の課題解決手段は、断面が扁平な可撓性綴じ足を長尺な係止板に屈曲係止する綴じ具において、係止板下面には溝の底の幅が綴じ足の最大な幅と略同一で、溝の深さが綴じ足厚みより深く、溝の相対する土手部先端が綴じ足の最大な幅より狭くなっている溝を係止板長手方向に綴じ足本数分有し、係止板下面の溝を綴じ足側に向け、係止板の溝入り口部に綴じ足屈曲部を当接した状態で、溝入り口部から綴じ足屈曲部を先頭にして係止板を綴じ足先端部に向けて綴じられる枚葉体の上を押し滑らせることで綴じ足を溝に挿入係止する事を特徴とする綴じ足係止板とする。
【０００７】
第二の課題解決手段は、溝入り口部は土手部を含め溝幅が綴じ足の最大な幅より広い誘い口になっている事を特徴とする請求項１記載の綴じ足係止板とする。
【０００８】
第三の課題解決手段は、両側端辺に切れ込みを有する断面が扁平な可撓性綴じ足と、請求項１又は請求項２記載の綴じ足係止板とから構成されることを特徴とする綴じ具とする。
【発明の効果】
【０００９】
本発明による効果は以下の通りである。従来２穴用フラットファイル方式では、書類の綴じ穴から出現している綴じ足先端部を係止するには、前述の通りスライダー部材１ないし２個を勘合したレール部材からなる係止具を必要とした。即ち、係止具は複数個の部材から構成されていた。本発明をこのフラットファイルに応用すれば、摺動するスライダー部材は必要とせず、綴じ足の他には係止板となるプラスチック成形１部材だけで済むようになる。又、係止板には貫通挿通孔がなく、綴じ足屈曲部を、溝入り口にあてがい、綴じ足の長手方向、即ち係止板の長手方向に片手で係止板を移動させるだけで綴じ足を係止出来るという優れた効果を有する。但し、従来方式も同じであるが、断面が扁平な可撓性綴じ足は係止板の長手方向に屈曲可能な方向を向いている事は必須である。又、書類の綴じ穴への挿通以外は全ての操作が片手だけで出来る事も大きなメリットとなる。書類を綴じた係止板を上から見ると、単に１枚の平板であり、綴じ足は見えず、横から見ても綴じ足を見えないように出来、外観的にもスッキリとしており、部品点数も減り、嵌合組み立てもなくコストダウンが可能になる。
【発明を実施するための最良の形態】
【００１０】
２穴用紙製フラットファイルに本発明を適用した実施例を述べる。図１は溝付き係止板１の表裏斜視図を示す。図１Ａは表面、図１Ｂは裏面からの斜視図である。溝１ａは係止板長手方向に２箇所に分かれており、相対する溝土手部１ｂ間隔が溝底部に比べ狭くなっている。該土手部の形状は２箇所の溝とも図中上方先端土手は後述する綴じ足屈曲部を受け入れるため広くなった誘い口１ｃになっている。図中、２箇所の溝の中央に溝のない平板部１ｄがあるが、単に平板にしておくのではなく、綴じ足屈曲部を受け入れ易くするための形状になっていても良い。本実施例では、係止板１はＡＢＳ樹脂である。即ち、本発明のポイントたる係止板１は、可動部材など別部材との組み合わせがないので、１個の樹脂成形品で済む事が根本的特徴である。係止板１のポイントは後述の綴じ足２を包み込むように係止板１に挿入可能な溝１ａと、相対する溝の土手１ｂの間隔が、綴じ足２の横最大幅（綴じ足断面の最長軸長さ）より狭くしてある事にある。この事により、溝１ａの中に入った綴じ足は、綴じ足を係止板に沿って平行移動しない限り、係止板に垂直方向には外す事が出来ない。溝誘い口１ｃからは、綴じ足の屈曲部が狭幅部になるため、溝の土手部１ｂが、綴じ足屈曲部の狭幅部２ｂに食い込んでいく事になる。
【００１１】
図２は、係止板１の平面、裏面、側面、断面図である。図２Ａは裏面平面図、図２Ｂは側面図、図２Ｃは表面平面図、図２Ｄは図１に於けるＸ１−X１断面図である。従来技術のような、レール部材に貫通する挿通孔はない。図２Ｄの断面図は溝１ａ及び土手１ｂの形状を分かりやすく示すため図２Ａ〜Ｃより拡大表示している。溝１ａは土手部１ｂで狭くなっている。溝先端１ｃは、綴じ足屈曲部の受け入れ誘い口として広がっている。
【００１２】
図３は綴じ足２を示す。断面が扁平で、ポリプロピレン樹脂で出来ている。ここで述べる綴じ足断面とは、綴じ足の長手方向に直交する断面（綴じ足の幅方向断面）である。該断面は広幅部２ａで広く、狭幅部（切れ込み）２ｂで狭くなっている。実際に係止作業に使われる足部はその広幅部２ａ、狭幅部２ｂの繰り返し連続体である。図中の２ａ、２ｂはその連続図の適当な１箇所を示したものである。図３Ａは綴じ足２の幅面側平面図、図３Ｂは綴じ足２の厚さ面側面図である。広幅部２ａの断面は、断面の長軸（幅）、短軸（厚さ）ともに狭幅部２ｂのそれより長く、綴じ足２の中で、幅、厚みともに狭幅部２ｂより上回っている。図３Ｃ、図３Ｄは適当な所から綴じ足２を直角に折り曲げた状態を示し、図３Ｃは図３Ａ、図３Ｄは図３Ｂに相当する面からの綴じ足屈曲図である。綴じ足屈曲部は肉厚も薄い狭幅部２ｂとなる。綴じ足２下端はファイルへの綴じ足止め部２ｃとなる。綴じ足を屈曲したとき、屈曲部が狭幅部２ｂとなる事が大事であり、図３Ｂに示す綴じ足の広幅部２ａ、狭幅部（切れ込み）２ｂから作られる綴じ足２両端辺の凹凸形状は波型、鋸型、一カ所集中型ななど、綴じる書類の種類、枚数、内容、目的に応じて多種の形状が考えられ、本実施例だけではないことは当然である。また綴じ足２の両側端辺に切れ込みがなくても、断面が扁平な綴じ足の両側端辺が中央部より肉薄になっていれば、綴じ足の屈曲部から係止板の溝１ｂで強制的に変形させられ綴じ足本体が溝１ａの中に屈曲部から先の先端部が入っていく。このため、綴じ足両端辺の切り欠きは必須ではない。
【００１３】
図４は、紙製の台紙３の折り込み部３ｃ、３ｄ間に綴じ足２端部止め部２ｃを固定し、書類４の綴じ穴に挿通して書類の上に出た綴じ足２を屈曲し、屈曲部から先の綴じ足を係止板１の溝１ａに挿通、係止した、所謂書類が綴じられた状態を示す斜視図である。綴じ足２は実際には見えないので、点線で表示した。図４では正確に表記出来ないところがあるので、ここでは従来技術による綴じ方と全く異なる発想で綴じている事がイメージとして伝わるようにした。
【００１４】
図５の図５Ｂは、図４のＹ１−Ｙ１断面図である。綴じ足２の屈曲部から先端までが、係止板１の溝１ａに挿入され、係止された状態を示す。図５Ａは、綴じ足２が係止板１に係止される直前の断面図である。綴じ足２の屈曲部は係止板１の溝１ａの誘い口１ｃにあり、係止板１を手で書類４に押しつけながら図中で右方向に移動させると、綴じ足２の屈曲部は狭幅部２ｂであるため、相対する土手溝１ｂが綴じ足２の狭幅部２ｂに嵌合して、綴じ足２の屈曲部から先端は、係止板１の図中の右に移動に伴い、溝１ａの中に挿入されていく。その結果が図５Ｂになる。
【００１５】
図６は図５Ｂにおけるの係止板の溝と綴じ足の関係のみを抽出し、係止の様子を明確にするものである。図６Ｂは、図５Ｂの左半分の係止板と綴じ足のみを抽出している。図６Ａは図６Ｂの左端側から見た状況を示している。図６Ａでは、係止板１の溝１ａに綴じ足２の屈曲部より先端部が嵌合し、溝土手部１ｂが綴じ足２の狭幅部２ｂに食い込んでいる様子を示す。図２の図２Ｄと併せて理解が出来る。
【００１６】
即ち、本実施例では、係止板溝の両側から相対してせり出した角状の土手部を綴じ足屈曲部の切れ込みに嵌め込み、係止板を書類面に平行に綴じ足が溝奥に入るように移動させれば、綴じ足の屈曲部より上部は係止板の溝の中によりしっかりと挿入され、屈曲部より下部の綴じ足は書類の綴じ穴の中で垂直状態で、綴じ足は屈曲部より上部は係止板の中、屈曲部より下部は綴じ穴の中という状態が固定さるという、綴じ足と係止板の組み合わせにより綴じ足が係止される綴じ用具である。
【００１７】
実施例では、両側端辺に凹凸状に切り込みのある特殊な綴じ足と係止板を組み合わせたものであるが、断面が扁平な可撓性綴じ足で、係止板が綴じ足より硬い材料との組み合わせ、例えば綴じ足がポリプロピレン樹脂、係止板がＡＢＳ樹脂のような組み合わせであれば、第一の課題解決手段に示す如く、綴じ足の両側端辺を意図的に凹凸状に切れ込みを入ず、係止板のみでも綴じ足屈曲部で係止板溝の土手部が綴じ足両側端辺に食い込み、実施例同様の効果を充分果たす事が可能である。しかし、書類の綴じ枚数を多くしたりしたときの係止効果は、第二の課題解決手段の方が係止力は高い。  
【００１８】
以上の如く、本発明によれば、従来のように係止具に綴じ足を貫通挿通する事もなく、従って係止具表面は全くの平板であり、ここに色々なデザインを施す事も可能であり、綴じ操作も片手で簡単に出来、かつ安価に生産出来るなど多くのメリットを有することが分かる。又、書類の綴じ穴から上に飛び出ている綴じ足に対して、係止板を綴じ足に押しつけながら図４で説明すれば斜め右上方向に係止板１を移動させれば片手で綴じ足を係止板１に係止出来る優れた発明である。
【図面の簡単な説明】
【００１９】
【図１】係止板斜視図
【図２】係止板平面及び断面図
【図３】綴じ足平面及び側面図
【図４】ファイルに書類を綴じた状態斜視図
【図５】図４のＹ１−Ｙ１断面図
【図６】係止板溝における綴じ足との係止状態拡大図
【符号の説明】
【００２０】
１              係止板
１ａ            溝
１ｂ            土手
１ｃ            誘い口
２              綴じ足
２ａ            広幅部
２ｂ            狭幅部
２ｃ            止め部
３              台紙
３ａ            表表紙
３ｂ            裏表紙
３ｃ            折り込み部
３ｄ            折り込み部
３ｅ            綴じ足穴
３ｆ            背表紙
４              書類
４ａ            書類綴じ穴
【要約】      （修正有）【課題】摺動するスライダー部材を必要とせず、係止板と綴じ足を直接係止可能とし、綴じ用具に於ける部材点数の削減と、書類の綴じ作業そのものも簡便化する綴じ用具を提供する。【解決手段】断面が扁平な可撓性綴じ足２を屈曲係止する長尺係止板１に於いて、係止板の長手方向に沿って綴じ足断面の長軸が係止板に平行に挿通可能な、綴じ足断面の短軸長より僅かに深い溝を綴じ足本数分有し、溝の相対する土手部先端は綴じ足断面の長軸長より僅かに狭くなっており、溝の入り口部は土手部を含め溝幅が綴じ足断面の長軸長より広い誘い口になっている綴じ足係止板。【選択図】図４【図１】
0004706989.tif 000002
【図２】
0004706989.tif 000003
【図３】
0004706989.tif 000004
【図４】
0004706989.tif 000005
【図５】
0004706989.tif 000006
【図６】
0004706989.tif 000007